(57)【要約】      （修正有）【課題】様々な個人差に対応可能で且つ刺激のバリエーションに富んだ男性器用マッサージ具を提供する。【解決手段】柔軟性を有する合成樹脂で形成され、男性器を収容する略円筒穴状のホール部３０を備えた本体部５０と、本体部と別体で形成され、ホール部内に在って刺激を与える補助部材４０と、を有する。補助部材が球体もしくは略楕円体もしくは多面体もしくは不定形のビーズであることが好ましい。【選択図】図１
0003193973.tif 000002
【実用新案登録請求の範囲】
【請求項１】
柔軟性を有する合成樹脂で形成され、男性器を収容する略円筒穴状のホール部を備えた本体部と、
前記本体部と別体で形成され、前記ホール部内に在って男性器に刺激を与える補助部材と、を有することを特徴とする男性器用マッサージ具。
【請求項２】
補助部材が球体もしくは略楕円体もしくは多面体もしくは不定形のビーズであることを特徴とする請求項１記載の男性器用マッサージ具。
【請求項３】
補助部材の表面に複数の突起を備えたことを特徴とする請求項２記載の男性器用マッサージ具。
【請求項４】
補助部材が表面に複数の襞を備えたことを特徴とする請求項２記載の男性器用マッサージ具。
【請求項５】
補助部材が柔軟性を有する合成樹脂で形成された紐状部材であることを特徴とする請求項１記載の男性器用マッサージ具。
【請求項６】
紐状部材が表面に複数の凹凸を有することを特徴とする請求項５記載の男性器用マッサージ具。
【請求項７】
異なる形状の補助部材を複数混合してホール部内に収容することを特徴とする請求項１記載の男性器用マッサージ具。
【考案の詳細な説明】
【技術分野】
【０００１】
本考案は、男性器の射精を補助する男性器用マッサージ具に関するものである。
【背景技術】
【０００２】
現代社会においては、生活スタイルの多様化や経済的理由、疾病等により、女性との性交渉が困難な男性が増加傾向にある。このような場合、精神の安定化と犯罪防止のため適度な性欲の処理が必要となる。また、体外受精や不妊の検査等の目的で精子を採取するケースも増加傾向にある。そして、このような射精を補助するために、例えば下記［特許文献１］に記載の発明のような男性器用マッサージ具が商品化されている。
【先行技術文献】
【特許文献】
【０００３】
【特許文献１】特開２００１−３２１４１２号公報
【考案の概要】
【考案が解決しようとする課題】
【０００４】
しかしながら、［特許文献１］に記載の発明は、内壁の形状が固定しているため得られる刺激が一定で変化に乏しく、長期間の使用に際しては慣れが生じて男性器用マッサージ具としての能力が低下するという問題点がある。また、男性器の大きさ、受感部位には個人差があり、［特許文献１］に記載の発明のように画一的なマッサージ具では、これら個人差に対応できず、男性器用マッサージ具として機能しない虞がある。
【０００５】
本考案は上記事情に鑑みてなされたものであり、様々な個人差に対応可能で且つ刺激のバリエーションに富んだ男性器用マッサージ具を提供することを目的とする。
【課題を解決するための手段】
【０００６】
本考案は、
（１）柔軟性を有する合成樹脂で形成され、男性器を収容する略円筒穴状のホール部３０を備えた本体部５０と、
前記本体部５０と別体で形成され、前記ホール部３０内に在って男性器に刺激を与える補助部材４０と、を有することを特徴とする男性器用マッサージ具８０を提供することにより、上記課題を解決する。
（２）補助部材４０が球体もしくは略楕円体もしくは多面体もしくは不定形のビーズであることを特徴とする上記（１）記載の男性器用マッサージ具８０を提供することにより、上記課題を解決する。
（３）補助部材４０の表面に複数の突起を備えたことを特徴とする上記（２）記載の男性器用マッサージ具８０を提供することにより、上記課題を解決する。
（４）補助部材４０が表面に複数の襞を備えたことを特徴とする上記（２）記載の男性器用マッサージ具８０を提供することにより、上記課題を解決する。
（５）補助部材４０が柔軟性を有する合成樹脂で形成された紐状部材であることを特徴とする上記（１）記載の男性器用マッサージ具８０を提供することにより、上記課題を解決する。
（６）紐状部材が表面に複数の凹凸を有することを特徴とする上記（５）記載の男性器用マッサージ具８０を提供することにより、上記課題を解決する。
（７）異なる形状の補助部材４０を複数混合してホール部３０内に収容することを特徴とする上記（１）記載の男性器用マッサージ具８０を提供することにより、上記課題を解決する。
【考案の効果】
【０００７】
本考案に係る男性器用マッサージ具は、男性器に刺激を与える補助部材の形状や数量等を使用者自身が選択することができる。これにより、本考案に係る男性器用マッサージ具は、様々な個人差に対応した適切な刺激を使用者に与えることができる。また、補助部材はホール部内で流動することに加え、使用する補助部材を変化させることで、使用者は異なった刺激を得ることができる。このため、男性器用マッサージ具を長期間、効果的に使用することができる。
【図面の簡単な説明】
【０００８】
【図１】本考案に係る男性器用マッサージ具を説明する図である。
【図２】本考案に係るビーズ型の補助部材の一例を示す図である。
【図３】本考案に係る突起を備えたビーズ型の補助部材の一例を示す図である。
【図４】本考案に係る襞を備えたビーズ型の補助部材の一例を示す図である。
【図５】本考案に係る紐型の補助部材の一例を示す図である。
【考案を実施するための形態】
【０００９】
本考案に係る男性器用マッサージ具８０の実施の形態を、図面に基づいて説明する。先ず、図１に示す男性器用マッサージ具８０は、男性器を収容する略円筒穴状のホール部３０を備えた本体部５０と、この本体部５０とは別体として成型されホール部３０内に在って男性器に刺激を与える補助部材４０と、を有している。尚、図１では、補助部材４０が下方に偏在している状態を図示しているが、補助部材４０は使用時において男性器の上下左右を流動する。
【００１０】
男性器用マッサージ具８０を構成する本体部５０は、柔軟性を有し人体に無害な例えばシリコン樹脂等のエストラマ樹脂で型枠成型等により形成される。そして、本体部５０の一端にはホール部３０に繋がる開口孔３２が形成され、この開口孔３２を通してホール部３０内に男性器を挿入する。また、ホール部３０は一般的な男性器を収容可能な長さと太さとを有し、その一端は閉塞した略円筒状穴形状を呈している。尚、ホール部３０の内周面は基本的に平滑であることが好ましいが、補助部材４０の流動を阻害しない程度の凹凸を備えていても良い。また、本体部５０の外周には使用者の指を添わせるグリップ溝５２を形成することが好ましい。尚、使用時には補助部材４０とともにローション等の潤滑剤を使用しても良い。
【００１１】
また、補助部材４０は男性器とともにホール部３０内に収容され、男性器に刺激を与えるものであり、基本的に如何なる形状のものを用いても良い。尚、補助部材４０は基本的に複数個、ホール部３０内に挿入して使用する。そして、補助部材４０はゴム、シリコン樹脂等のエストラマ樹脂の他、人体に無害な合成樹脂で構成され、本体部５０とは別に型枠成型される。また、補助部材４０の硬度には特に限定はなく、柔らかなものを用いても良いし、ある程度の固さを持ったものでも良い。これら硬度の選択は使用者自身が行うことができる。
【００１２】
次に、補助部材４０の形状の一例を図２〜図５に示す。補助部材４０は図２（ａ）に示すように球体のビーズであっても良いし、図２（ｂ）に示すように略楕円体のビーズであっても良い。また、図２（ｃ）に示すように多面体のビーズでも良いし、図２（ｄ）に示すように特に形の定まらない不定形としても良い。補助部材４０の大きさには特に限定はないが、外形寸法が概ね１ｃｍ〜２ｃｍ程度とすることが好ましい。
【００１３】
また、上記のビーズ型の補助部材４０の表面には粒状の突起や先の滑らかな棘状の突起を複数設けても良い。ここで、図３（ａ）は球体の補助部材４０の表面に粒状の突起を複数設けた例を示している。また、図３（ｂ）は補助部材４０の表面に先の滑らかな棘状の突起を有する星形の補助部材４０の例を示している。
【００１４】
また、これらビーズ型の補助部材４０の表面には複数の襞を設けても良い。ここで、図４（ａ）には球体の補助部材４０の表面に複数の襞を設けた例を示している。また、図４（ｂ）は略楕円体の補助部材４０の表面に複数の襞を設けた例を示している。また、図４（ｃ）は正６面体の補助部材４０の各面に複数の襞を設けた例を示している。
【００１５】
さらに、補助部材４０は上記のビーズ体に限らず、図５（ａ）に示すように、柔軟性を有する合成樹脂で形成された紐状部材としても良い。また、この紐型の補助部材４０の表面には突起や襞等の凹凸を備えていても良い。ここで、図５（ｂ）は、略球体のビーズが連結されたような凹凸を有する紐型の補助部材４０を示している。また、図５（ｃ）は、略球体のビーズが連続して連なったような凹凸を有する紐型の補助部材４０を示している。また、図５（ｄ）は、襞状の凹凸を有する紐型の補助部材４０を示している。
【００１６】
上記の補助部材４０は、使用者が適宜選択もしくは購入して使用することができる。また、異なる形状の補助部材４０を使用者自身が適宜選択、混合して使用することができる。
【００１７】
このように、本考案に係る男性器用マッサージ具８０は男性器に刺激を与える補助部材４０の形状、硬度、数量等を使用者自身が選択可能である。これにより、使用者は自身の個人差によらず適切な刺激を得ることができる。また、異なる形状の補助部材４０を使用者が適宜混合することで、得られる刺激のバリエーションを飛躍的に増大させることができる。これにより、使用者は常に新たな刺激を得ることができ、刺激への慣れに起因する男性器用マッサージ具８０の機能不全を防止することができる。
【００１８】
そして、本考案に係る男性器用マッサージ具８０は上記のように多種多様な刺激の享受が可能なため、性的欲求に関わる精神の安定化と犯罪の防止に貢献することができる。また、体外受精や不妊の検査時に迅速に精子の採取を行うことができる。
【００１９】
尚、上記に示した男性器用マッサージ具８０の本体部５０及び補助部材４０の形状、構成、寸法、デザイン等は一例であるから、上記の例に限定されるわけでは無く、本考案は本考案の要旨を逸脱しない範囲で変更して実施することが可能である。
【符号の説明】
【００２０】
３０    ホール部
４０    補助部材
５０    本体部
８０    男性器用マッサージ具
【図１】
0003193973.tif 000003
【図２】
0003193973.tif 000004
【図３】
0003193973.tif 000005
【図４】
0003193973.tif 000006
【図５】
0003193973.tif 000007